(57)【要約】【課題】オンライン上のソーシャルネットワークの一のユーザが、他のユーザの画像を編集することで、当該ソーシャルネットワークのユーザが、編集後の画像を楽しむことが可能なコンピュータを提供する。【解決手段】上記ソーシャルネットワークの第一のユーザの端末装置２ａにより上記閲覧画面に掲載された第一の画像１１０２の編集指示を、当該ソーシャルネットワークの第二のユーザの端末装置２ｂから受け付ける指示受付手段３０４と、上記編集指示と上記第一の画像１１０２とに基づいて第二の画像１２００を生成し、当該第二の画像１２００を上記閲覧画面に掲載する画像編集手段３０５とを備えるコンピュータ１を提供する。【選択図】図３
2013041560.tif 000002
【特許請求の範囲】
【請求項１】
オンライン上のソーシャルネットワークの一のユーザの端末装置から入力された画像を、当該ソーシャルネットワークの他のユーザの端末装置から閲覧可能な閲覧画面に掲載するソーシャルネットワークシステムに接続されたコンピュータであって、
上記ソーシャルネットワークの第一のユーザの端末装置により上記閲覧画面に掲載された第一の画像の編集指示を、当該ソーシャルネットワークの第二のユーザの端末装置から受け付ける指示受付手段と、
上記編集指示と上記第一の画像とに基づいて第二の画像を生成し、当該第二の画像を上記閲覧画面に掲載する画像編集手段と
を備えるコンピュータ。
【請求項２】
上記指示受付手段は、更に、上記第一のユーザの端末装置により上記第一の画像が上記閲覧画面に掲載される際に、掲載予定の画像の編集指示を、当該第一のユーザの端末装置から受け付け、
上記画像編集手段は、上記編集指示と上記掲載予定の画像とに基づいて第一の画像を生成し、当該第一の画像を上記閲覧画面に掲載する
請求項１に記載のコンピュータ。
【請求項３】
上記掲載予定の画像、上記第一の画像、上記第二の画像のいずれの画像も、身体画像を含み、
上記指示受付手段は、上記身体画像に試着可能な商品画像を選択可能に表示することで、所定の商品画像の選択を上記編集指示として受け付け、
上記画像編集手段は、上記商品画像が選択されると、当該商品画像を上記身体画像に試着させることで、上記第一の画像又は上記第二の画像を生成する
請求項２に記載のコンピュータ。
【請求項４】
上記指示受付手段は、上記第一のユーザの端末装置により上記第一の画像が上記閲覧画面に掲載される際に、当該第一のユーザの端末装置により入力された画像のうち、上記商品画像を試着可能な画像を検索して、検索した画像を選択可能に表示し、上記第一のユーザの端末装置から選択された所定の画像を上記掲載予定の画像とする
請求項３に記載のコンピュータ。
【請求項５】
上記画像編集手段は、上記商品画像を上記身体画像に試着させる際に、当該身体画像の身体部位を示す身体部位属性と、当該商品画像を着せる身体部位を示す商品部位属性とに基づいて当該商品画像を当該身体画像の所定の部位画像に試着させる
請求項３に記載のコンピュータ。
【請求項６】
上記指示受付手段は、上記商品画像の近傍に当該商品画像の商品識別情報を選択可能に表示し、上記第一のユーザの端末装置又は上記第二のユーザの端末装置から当該商品識別情報が選択されると、当該商品識別情報に対応する商品又は当該商品を販売する店舗を、選択した端末装置に紹介する
請求項３−５のいずれか一項に記載のコンピュータ。
【請求項７】
上記指示受付手段は、上記商品画像を、当該商品画像の商品の価格、選択回数、販売数量、品質、製造地、当該商品と予め入力されたキーワードとの関連性を含む所定の優先順位に従って選択可能に表示する
請求項３−６のいずれか一項に記載のコンピュータ。
【請求項８】
上記指示受付手段は、上記ソーシャルネットワークの第三のユーザの端末装置から、上記閲覧画面に掲載された第二の画像の編集指示を更に受け付け、
上記画像編集手段は、上記編集指示と上記第二の画像とに基づいて第三の画像を生成し、当該第三の画像を上記閲覧画面に掲載する
請求項１−７のいずれか一項に記載のコンピュータ。
【請求項９】
上記ユーザの端末装置から、編集後の画像の生成に利用された商品画像の商品の購入が指示されると、当該商品の購入手続を実行する購入手続手段を更に備える
請求項３−８のいずれか一項に記載のコンピュータ。
【請求項１０】
請求項３−９のいずれか一項に記載のコンピュータと接続された店舗の端末装置であって、
上記コンピュータの指示受付手段が選択可能に表示する商品画像を当該指示受付手段に送信する商品画像送信手段
を備える店舗の端末装置。
【請求項１１】
オンライン上のソーシャルネットワークの一のユーザの端末装置から入力された画像を、当該ソーシャルネットワークの他のユーザの端末装置から閲覧可能な閲覧画面に掲載するソーシャルネットワークシステムに接続されたコンピュータの方法であって、
上記ソーシャルネットワークの第一のユーザの端末装置により上記閲覧画面に掲載された第一の画像の編集指示を、当該ソーシャルネットワークの第二のユーザの端末装置から受け付ける指示受付工程と、
上記編集指示と上記第一の画像とに基づいて第二の画像を生成し、当該第二の画像を上記閲覧画面に掲載する画像編集工程と
を備える方法。
【請求項１２】
請求項１１に記載の方法をコンピュータに実行させるためのプログラム。
【請求項１３】
請求項１２に記載のプログラムを記憶したコンピュータに読み取り可能な記憶媒体。
【発明の詳細な説明】
【技術分野】
【０００１】  本発明は、コンピュータ、方法、プログラム、記憶媒体に関し、詳しくは、オンライン上のソーシャルネットワークの一のユーザが、他のユーザの画像を編集することで、当該ソーシャルネットワークのユーザが、編集後の画像を楽しむことが可能なコンピュータ、方法、プログラム、記憶媒体に関する。
【背景技術】
【０００２】  近年、「フェースブック（Ｆａｃｅｂｏｏｋ）」や「フレンドスター（Ｆｒｉｅｎｄｓｔｅｒ）」等のオンラインソーシャルネットワークのインターネット上での人気が高まっている。【０００３】  これらのサービスは、ユーザについての記述的情報を利用して、アクセスが簡単で、且つ広範囲に及ぶソーシャルネットワーキングを実現する。更に、オンラインで実現されるソーシャルネットワーキングは、従来の電話や郵便に基づくソーシャルネットワーキングサービスに共通の制限である場所、時間、言語、及び媒体形式に制限されることがない。【０００４】  ここで、現在のオンラインソーシャルネットワーキングサービスの大部分は、ユーザが、個人的な嗜好を手動で入力し、ユーザの社会的なつながり（Ｓｏｃｉａｌ  Ａｆｆｉｌｉａｔｉｏｎ）をいくつか公開し、これによって、サービス提供者側は、ユーザの社会的集団（Ｓｏｃｉａｌ  Ｃｉｒｃｌｅ）に適合する対象を特定し、これをユーザに推薦する。【０００５】  しかしながら、このような手動入力処理は、ユーザにとって、時間の掛かる作業であった。又、システムによって取得された情報は構造化されておらず、多様なユーザの間では一貫性に欠けるという問題があった。【０００６】  又、通常、オンラインソーシャルネットワークは、ユーザが、写真、ビデオクリップ、音声クリップなどの多種多様な形式のファイルを、自己のプロファイルとしてアップロードすることを許可している。【０００７】  しかしながら、既存のオンラインソーシャルネットワークの大部分は、ユーザによってアップロードされたマルチメディアのファイルから、ユーザの個人的な嗜好情報を抽出することが出来なかった。【０００８】  このような問題を解決する技術として、特開２０１０−１５５６５号公報（特許文献１）には、ファッション関連情報に基づいてソーシャルネットワーキングを容易にするコンピュータ実行方法が開示されている。上記コンピュータ実行方法は、ユーザから上記ファッション関連情報を受信し、上記受信した情報から上記ユーザのファッション嗜好を抽出し、上記ユーザのファッション嗜好を他のユーザのファッション嗜好と比較し、上記ユーザと上記他のユーザとのファッション嗜好の類似度に基づいて複数のユーザをグループ化することを含んでいる。これにより、ユーザのファッション嗜好に基づいて、ソーシャルコネクション（人と人の繋がり）の形成を支援したり、ユーザがオンライン又は店頭で好みの衣服を探し出す手間を軽減させたりすることが出来るとしている。
【先行技術文献】
【特許文献】
【０００９】
【特許文献１】特開２０１０−１５５６５号公報
【発明の概要】
【発明が解決しようとする課題】
【００１０】  しかしながら、上記特許文献１に記載の発明では、ユーザのファッション嗜好に基づいて、ユーザをグループ化するものの、オンライン上のソーシャルネットワークの他のユーザに、自己のプロファイルに含まれる写真や画像の編集を許可するものではなく、他のユーザのコーディネートセンスを楽しむことが出来ないという問題がある。【００１１】  そこで、本発明は、上記問題を解決するためになされたものであり、オンライン上のソーシャルネットワークの一のユーザが、他のユーザの画像を編集することで、当該ソーシャルネットワークのユーザが、編集後の画像を楽しむことが可能なコンピュータ、方法、プログラム、記憶媒体を提供することを目的とする。
【課題を解決するための手段】
【００１２】  本発明は、上記目的を達成するために、以下の手段を採用している。即ち、本発明は、オンライン上のソーシャルネットワークの一のユーザの端末装置から入力された画像を、当該ソーシャルネットワークの他のユーザの端末装置から閲覧可能な閲覧画面に掲載するソーシャルネットワークシステムに接続されたコンピュータである。そして、本発明は、上記ソーシャルネットワークの第一のユーザの端末装置により上記閲覧画面に掲載された第一の画像の編集指示を、当該ソーシャルネットワークの第二のユーザの端末装置から受け付ける指示受付手段と、上記編集指示と上記第一の画像とに基づいて第二の画像を生成し、当該第二の画像を上記閲覧画面に掲載する画像編集手段とを備える。【００１３】  これにより、上記第二のユーザは、上記第一のユーザから掲載された第一の画像の編集を楽しむことが可能となるとともに、当該第一のユーザは、当該第二のユーザが編集した第二の画像を閲覧し、当該第二のユーザのコーディネートセンスを楽しむことが可能となる。又、上記第二の画像は、上記ソーシャルネットワークの他のユーザでも閲覧可能であるから、当該第二の画像により、上記他のユーザの視覚を刺激して、上記ソーシャルネットワークのユーザ間のコミュニケーションを著しく促進することが可能となる。【００１４】  又、上記指示受付手段は、更に、上記第一のユーザの端末装置により上記第一の画像が上記閲覧画面に掲載される際に、掲載予定の画像の編集指示を、当該第一のユーザの端末装置から受け付け、上記画像編集手段は、上記編集指示と上記掲載予定の画像とに基づいて第一の画像を生成し、当該第一の画像を上記閲覧画面に掲載するよう構成することが出来る。【００１５】  又、上記掲載予定の画像、上記第一の画像、上記第二の画像のいずれの画像も、身体画像を含み、上記指示受付手段は、上記身体画像に試着可能な商品画像を選択可能に表示することで、所定の商品画像の選択を上記編集指示として受け付け、上記画像編集手段は、上記商品画像が選択されると、当該商品画像を上記身体画像に試着させることで、上記第一の画像又は上記第二の画像を生成するよう構成することが出来る。【００１６】  又、上記指示受付手段は、上記第一のユーザの端末装置により上記第一の画像が上記閲覧画面に掲載される際に、当該第一のユーザの端末装置により入力された画像のうち、上記商品画像を試着可能な画像を検索して、検索した画像を選択可能に表示し、上記第一のユーザの端末装置から選択された所定の画像を上記掲載予定の画像とするよう構成することが出来る。【００１７】  又、上記画像編集手段は、上記商品画像を上記身体画像に試着させる際に、当該身体画像の身体部位を示す身体部位属性と、当該商品画像を着せる身体部位を示す商品部位属性とに基づいて当該商品画像を当該身体画像の所定の部位画像に試着させるよう構成することが出来る。【００１８】  又、上記指示受付手段は、上記商品画像の近傍に当該商品画像の商品識別情報を選択可能に表示し、上記第一のユーザの端末装置又は上記第二のユーザの端末装置から当該商品識別情報が選択されると、当該商品識別情報に対応する商品又は当該商品を販売する店舗を、選択した端末装置���紹介するよう構成することが出来る。【００１９】  又、上記指示受付手段は、上記商品画像を、当該商品画像の商品の価格、選択回数、販売数量、品質、製造地、当該商品と予め入力されたキーワードとの関連性を含む所定の優先順位に従って選択可能に表示するよう構成することが出来る。【００２０】  又、上記指示受付手段は、上記ソーシャルネットワークの第三のユーザの端末装置から、上記閲覧画面に掲載された第二の画像の編集指示を更に受け付け、上記画像編集手段は、上記編集指示と上記第二の画像とに基づいて第三の画像を生成し、当該第三の画像を上記閲覧画面に掲載するよう構成することが出来る。【００２１】  又、上記ユーザの端末装置から、編集後の画像の生成に利用された商品画像の商品の購入が指示されると、当該商品の購入手続を実行する購入手続手段を更に備えるよう構成することが出来る。【００２２】  又、本発明は、上記コンピュータと接続された店舗の端末装置であってもよい。即ち、上記店舗の端末装置は、上記コンピュータの指示受付手段が選択可能に表示する商品画像を当該指示受付手段に送信する商品画像送信手段を備えるよう構成することが出来る。【００２３】  又、本発明は、他の観点からすれば、オンライン上のソーシャルネットワークの一のユーザの端末装置から入力された画像を、当該ソーシャルネットワークの他のユーザの端末装置から閲覧可能な閲覧画面に掲載するソーシャルネットワークシステムに接続されたコンピュータの方法である。そして、本発明は、上記ソーシャルネットワークの第一のユーザの端末装置により上記閲覧画面に掲載された第一の画像の編集指示を、当該ソーシャルネットワークの第二のユーザの端末装置から受け付ける指示受付工程と、上記編集指示と上記第一の画像とに基づいて第二の画像を生成し、当該第二の画像を上記閲覧画面に掲載する画像編集工程とを備える。このような構成としても、上述と同様の効果を得ることが可能となる。【００２４】  又、本発明は、電気通信回線などを介して個別に流通する、コンピュータに実行させるためのプログラムとして提供することが出来る。この場合、中央演算処理装置（ＣＰＵ）が、本発明のプログラムに従ってＣＰＵ以外の各回路と協働して制御動作を実現する。【００２５】  又、上記プログラム及びＣＰＵを用いて実現される各手段は、専用のハードウェアを用いて構成することも出来る。又、当該プログラムは、ＣＤ−ＲＯＭなどのコンピュータ読み取り可能な記録媒体に記録された状態で流通させることも可能である。
【発明の効果】
【００２６】  本発明のコンピュータ、方法、プログラム、記憶媒体によれば、オンライン上のソーシャルネットワークの一のユーザが、他のユーザの画像を編集することで、当該ソーシャルネットワークのユーザが、編集後の画像を楽しむことが可能となる。
【図面の簡単な説明】
【００２７】
【図１】  本発明に係るソーシャルネットワークシステムに接続されたコンピュータの一例を示す概略構成図である。
【図２】  本発明に係るソーシャルネットワークの構成の一例を示した概念図である。
【図３】  本発明に係るソーシャルネットワークシステムとコンピュータの機能ブロック図である。
【図４】  本発明に係る実行手順を示すためのフローチャートである。
【図５】  本発明に係るユーザ情報テーブルの一例を示す図である。
【図６】  本発明に係る第一のユーザの専用ページ画面の一例を示す図である。
【図７】  本発明に係る画像選択画面の一例を示す第一の図である。
【図８】  本発明に係る掲載予定の画像が表示された編集指示画面の一例を示す図である。
【図９】  本発明に係る第一のユーザの専用ページ画面での閲覧画面の一例を示す図である。
【図１０】  本発明に係る第二のユーザの専用ページ画面の一例を示す図である。
【図１１】  本発明に係る第一の画像が表示された編集指示画面の一例を示す図である。
【図１２】  本発明に係る第二の画像が表示された編集指示画面の一例を示す図である。
【図１３】  本発明に係る第二のユーザの専用ページ画面での閲覧画面の一例を示す図である。
【図１４】  本発明に係る第一のユーザの専用ページ画面での閲覧画面の一例を示す図である。
【図１５】  本発明に係る第二の画像が表示された編集指示画面の一例を示す図である。
【発明を実施するための形態】
【００２８】  以下に、添付図面を参照して、本発明に係るソーシャルネットワークシステムに接続されたコンピュータの実施形態について説明し、本発明の理解に供する。尚、以下の実施形態は、本発明を具体化した一例であって、本発明の技術的範囲を限定する性格のものではない。
【００２９】  ＜ソーシャルネットワークシステム及びコンピュータ＞
【００３０】  図１は、本発明に係るソーシャルネットワークシステムに接続されたコンピュータの一例を示す概略構成図である。
【００３１】  先ず、上記ソーシャルネットワークシステム１は、図１に示すように、複数の端末装置２（２ａ、２ｂ）と、サーバーコンピュータ３とを、インターネットなどのネットワーク４を介して接続された構成である。
【００３２】  上記端末装置２は、一般に使用されるコンピュータであり、タッチパネル、ディスクトップ、キーボード、マウスなどの表示受付部を備え、当該表示受付部は、上記端末装置を所有するユーザの操作により、上記サーバーコンピュータ３に指示や命令を送信したり、当該サーバーコンピュータ３から情報を受信して、所定の画面や画像を表示させたりする。
【００３３】  尚、上記端末装置２は、一般に使用されるコンピュータに限られず、当該コンピュータと同様の構成及び機能を有する携帯用のコンピュータ、携帯電話機、ＰＤＡ（Ｐｅｒｓｏｎａｌ  Ｄｉｇｉｔａｌ  Ａｓｓｉｓｔａｎｔ）、タブレット型携帯端末装置などが採用される。
【００３４】  又、上記サーバーコンピュータ３は、一般に使用されるコンピュータであり、上記端末装置２から入力される情報を記憶する記憶部と、当該端末装置２からの指示や命令に応じて、当該端末装置２に情報を提供したり、当該記憶部に当該情報を記憶させたりする制御部とを備える。上記記憶部は、データベースとしての役割を果たす。又、上記制御部は、オンライン上のソーシャルネットワークのユーザに関するデータ、プロファイル、コメント、パスワード、画像データなどを上記記憶部に記憶させたり消去させたりして、一元管理する。
【００３５】  又、上記ネットワーク４は、例えば、通信プロトコルにＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）が利用され、インターネット、公衆回線網、移動体通信回線網、ＣＡＴＶ（Ｃｏｍｍｕｎｉｔｙ  Ａｎｔｅｎｎａ  Ｔｅｌｅｖｉｓｉｏｎ）などの専用回線などが採用される。
【００３６】  さて、本発明に係るコンピュータ５は、例えば、上記ネットワーク４を介して上記ソーシャルネットワークシステム１に接続される。上記コンピュータ５は、一般に使用されるコンピュータであり、所定の情報を記憶する記憶部と、上記端末装置２又は上記サーバーコンピュータ３からの指示や命令に応じて当該端末装置２又は当該サーバーコンピュータ３に情報を提供したり、所定の情報を取得したりする制御部とを備える。上記コンピュータ３の記憶部及び制御部は、上記サーバーコンピュータ３の記憶部及び制御部と同様の機能を有する。
【００３７】  尚、図１では、本発明に係るコンピュータ５が、上記ネットワーク４を介して上記ソーシャルネットワークシステム１に接続されているが、これに限られず、例えば、当該ソーシャルネットワークシステム１のサーバーコンピュータ３に直接接続されたり、当該サーバーコンピュータ３に内臓されたりすることにより、上記ソーシャルネットワークシステム１に接続されても構わない。
【００３８】  又、本発明に係るソーシャルネットワークシステム１のネットワーク４には、後述する店舗の端末装置６が接続されており、本発明に係るコンピュータ５が、上記端末装置２又は上記サーバーコンピュータ３からの指示や命令により、当該端末装置２又は当該サーバーコンピュータ３を、上記店舗の端末装置６に接続したり、当該店舗の端末装置６から所定の情報を受けて、当該端末装置２又は当該サーバーコンピュータ３に提供したりする。
【００３９】  又、上記店舗の端末装置６は、一般に使用されるコンピュータであり、上述した記憶部及び制御部を有し、上記サーバーコンピュータ３、上記コンピュータ５の記憶部及び制御部と同様の機能を有する。尚、図１では、一の店舗の端末装置６のみ表示しているが、複数の店舗の端末装置６が上記ネットワーク４を介して上記サーバーコンピュータ３及び上記コンピュータ５に接続されても構わない。
【００４０】  又、上記端末装置２、上記サーバーコンピュータ３、上記コンピュータ５、上記店舗の端末装置６は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）を内蔵しており、ＣＰＵは、例えば、ＲＡＭを作業領域として利用し、ＲＯＭ、ＨＤＤなどに記憶されているプログラムを実行する。又、後述する各手段（図３に示す）については、ＣＰＵがプログラムを実行することで当該各手段を実現する。
【００４１】  ＜ソーシャルネットワークの構成＞
【００４２】  図２は、本発明に係るソーシャルネットワークの構成の一例を示した概念図である。
【００４３】  本発明に係るソーシャルネットワークシステム１は、オンライン上のソーシャルネットワークシステムであり、場所、時間、言語、媒体形式に制限されないシステムである。通常、上記ソーシャルネットワークシステム１では、特定のユーザを中心として、ソーシャルネットワークを構成する。
【００４４】  例えば、図２に示すように、ユーザＡには、当該ユーザＡと直接の友人であるユーザＢ、Ｃ、Ｄ、Ｅが存在し、これらのユーザが、上記ソーシャルネットワークを構成することになる。尚、上記友人は、上記ユーザＡと直接的に何らかの人間関係があればよく、例えば、親戚や家族、会社の社員、クラブの会員、同級生、同期生などであっても構わない。
【００４５】  又、上記ユーザＢには、当該ユーザＢと直接の友人であるユーザＡ、Ｆ、Ｇ、Ｈが存在し、これらのユーザが、上記ソーシャルネットワークを構成する。更に、上記ユーザＣには、当該ユーザＣと直接の友人であるユーザＡ、Ｉ、Ｊが存在して、上記ソーシャルネットワークを構成し、上記ユーザＥには、当該ユーザＥと直接の友人であるユーザＡ、Ｋ、Ｌ、Ｍが存在して、上記ソーシャルネットワークを構成する。そのため、上記ユーザＦ、Ｇ、Ｈ、Ｉ、Ｊ、Ｋ、Ｌ、Ｍは、上記ソーシャルネットワークにおいて、上記ユーザＡの友人の友人となる。
【００４６】  上記ソーシャルネットワークシステム１では、上記ネットワーク４を介して、特定のユーザを中心とし、各ユーザ毎のソーシャルネットワークのユーザを関連付ける。例えば、上記ユーザＡを中心とすると、上記ソーシャルネットワークシステム１では、当該ユーザＡの友人である上記ユーザＢ、Ｃ、Ｄ、Ｅのみならず、上記ユーザＦ、Ｇ、Ｈ、Ｉ、Ｊ、Ｋ、Ｌ、Ｍを関連付けることになる。
【００４７】  上記ソーシャルネットワークシステム１では、上記ソーシャルネットワークのユーザが、当該ソーシャルネットワークの他のユーザが所定の画面（例えば、日記、電子掲示板など）に掲載（投稿、発信、入力）した情報を閲覧することが出来る。例えば、上記ユーザＡが掲載した所定の情報は、上記ソーシャルネットワークのユーザＢ、Ｃ、Ｄ、Ｅ、Ｆ、Ｇ、Ｈ、Ｉ、Ｊ、Ｋ、Ｌ、Ｍが閲覧することが出来る。そのため、上記ソーシャルネットワークのユーザは、自己と直接関係の無いユーザともコミュニケーションを図ることが可能であり、人間関係を拡張させる特徴を有する。
【００４８】  尚、上記ソーシャルネットワークの人間関係の範囲は、当該ソーシャルネットワークに参加するユーザの設定に応じて決定することが可能である。例えば、上記ユーザＡが、上記ソーシャルネットワークの人間関係の範囲を友人までと決定すれば、当該ソーシャルネットワークのユーザは、当該ユーザＡを中心として、ユーザＢ、Ｃ、Ｄ、Ｅとなる。又、上記ユーザＡが、上記範囲を友人の友人までと決定すれば、上記ソーシャルネットワークのユーザは、当該ユーザＡを中心として、ユーザＢ、Ｃ、Ｄ、Ｅ、Ｆ、Ｇ、Ｈ、Ｉ、Ｊ、Ｋ、Ｌ、Ｍとなる。このように、ユーザによる上記範囲の設定により、情報の開示範囲が決定される。
【００４９】  ＜本発明の実施形態＞
【００５０】  次に、図３、図４を参照しながら、本発明に係る構成及び実行手順について説明する。図３は、本発明に係るソーシャルネットワークシステムとコンピュータの機能ブロック図である。図４は、本発明に係る実行手順を示すためのフローチャートである。
【００５１】  ＜掲載予定の画像の選択＞
【００５２】  先ず、オンライン上に展開されているソーシャルネットワークの第一のユーザが、自己の端末装置２ａに電源を入れると、当該端末装置２ａの第一の表示受付手段３０１が起動し、所定の初期画面を表示するとともに、第一のユーザの操作により所定の指示を受け付ける。
【００５３】  ここで、上記第一のユーザが、上記ソーシャルネットワークシステム１のサーバーコンピュータ３へのアクセスを第一の表示受付手段３０１に指示すると、当該第一の表示受付手段３０１は、インターネットなどのネットワーク４を介して、上記サーバーコンピュータ３のネットワーク制御手段３０２にアクセスする。
【００５４】  ここで、上記アクセスは、例えば、第一の表示受付手段３０１のブラウザ機能を介して、上記サーバーコンピュータ３のＵＲＬ（Ｕｎｉｆｏｒｍ  Ｒｅｓｏｕｒｃｅ  Ｌｏｃａｔｏｒ）が入力されることによってなされる。
【００５５】  上記ネットワーク制御手段３０２は、第一の表示受付手段３０１からのアクセスが指示されると、当該アクセスに応じて、ユーザ識別情報（例えば、ユーザＩＤ）とパスワードとを入力可能な所定のログイン画面を第一の表示受付手段３０１に表示させる。そして、上記ネットワーク制御手段３０２は、第一のユーザの端末装置２ａから、第一のユーザのユーザ識別情報とパスワードとの入力を受け付ける。
【００５６】  ここで、上記ユーザ識別情報は、ユーザを識別可能な情報であれば、どのような情報でもよく、例えば、ユーザ自身が登録したユーザＩＤ、ユーザの氏名、ユーザのニックネームなどが挙げられる。
【００５７】  第一のユーザが、自己の端末装置２ａ又は上記ログイン画面に予め設けられたキーボードキーを利用して、自己のユーザＩＤ（「ユーザＡ」）とパスワード（「＊＊＊」）とを入力すると、第一の表示受付手段３０１が、当該ユーザＩＤと当該パスワードとの入力を受け付けて、これらの情報をネットワーク制御手段３０２に送信する。上記ネットワーク制御手段３０２は、上記ユーザＩＤと上記パスワードとが入力されると、上記サーバーコンピュータ３のユーザ情報記憶手段３０３に予め記憶されているユーザ情報テーブルを参照する。
【００５８】  上記ユーザ情報テーブル５００には、図５に示すように、ユーザＩＤ５０１と、ユーザが上記ソーシャルネットワークに参加する際に入力したパスワード５０２、ユーザが以前入力したプロファイル情報５０３と、上記ソーシャルネットワークシステム１の他のユーザのユーザＩＤ５０４と、ユーザが以前掲載（入力）したコメント情報５０５とが関連付けて記憶されている。上記ユーザＩＤ５０１には、例えば、「ユーザＡ」、「ユーザＢ」が記憶される。又、上記パスワード５０２には、例えば、「＊＊＊」が記憶される。又、プロファイル情報５０３には、例えば、顔画像、年齢、メールアドレスなどが記憶され、上記他のユーザのユーザＩＤ５０４には、例えば、「ユーザＢ」が記憶される。尚、当該他のユーザのユーザＩＤ５０４は、以下、グループユーザＩＤとする。更に、上記コメント情報５０５には、例えば、「ランチ中です。」と掲載時刻「２０１１／８／１  ９：００」）とが記憶される。これらのデータベースは、公知技術のソーシャルネットワークシステムと同様である。
【００５９】  ここで、本発明の実施形態では、第一のユーザＩＤ（「ユーザＡ」）のグループユーザＩＤ５０２に、第二のユーザＩＤ（「ユーザＢ」）が記憶された場合、当該第二のユーザＩＤ（「ユーザＢ」）のグループユーザＩＤ５０２に、上記第一のユーザＩＤ（「ユーザＡ」）が関連付けて記憶されることで、上記ソーシャルネットワークが構成される。
【００６０】  さて、上記ネットワーク制御手段３０２は、参照したユーザ情報テーブル５００から、入力されたユーザＩＤ（「ユーザＡ」）を検索し、検索したユーザＩＤのパスワード（「＊＊＊」）と、入力されたパスワード（「＊＊＊」）とを照合する。入力されたパスワードと上記ユーザ情報テーブル５００のパスワードとが不一致であれば、上記ネットワーク制御手段３０２は、入力されたパスワードを消去し、第一の表示受付手段３０１を介して、正しいパスワードの入力を受け付ける。
【００６１】  一方、入力されたパスワードと上記ユーザ情報テーブル５００のパスワードとが一致した場合、ログインが成功し（図４：Ｓ１０１）、上記ネットワーク制御手段３０２は、先ず、上記ユーザ情報テーブル５００から、入力されたユーザＩＤ（「ユーザＡ」）に対応するプロファイル情報５０２と、コメント情報５０５とを読み出す。次に、上記ネットワーク制御手段３０２は、上記ユーザＩＤ（「ユーザＡ」）に対応するグループユーザＩＤ５０４（「ユーザＢ」）と一致するユーザＩＤを、上記ユーザ情報テーブル５００のユーザＩＤ５０１の中から検索し、当該グループユーザＩＤ５０４（「ユーザＢ」）と一致するユーザＩＤのコメント情報５０５（例えば、「現在、ショップの前です。」と掲載時刻「２０１１／８／１  ９：０５」）を読み出す。そして、上記ネットワーク制御手段３０２は、読み出したユーザＩＤ（「ユーザＡ」）のプロファイル情報５０３、コメント情報５０５、グループユーザＩＤ５０４（「ユーザＢ」）のコメント情報５０５に基づいて、当該ユーザＩＤ（「ユーザＡ」）に対応する第一のユーザの専用ページ画面を、第一の表示受付手段３０１に表示させる（図４：Ｓ１０２）。
【００６２】  第一のユーザの専用ページ画面６００には、図６に示すように、上記ユーザＩＤ（「ユーザＡ」）のプロファイル情報６０１（５０３）が表示されるとともに、当該ユーザＩＤのコメント情報５０５と上記グループユーザＩＤ５０４のコメント情報５０５とを含む閲覧画面６０２が表示される。
【００６３】  ここで、上記閲覧画面６０２は、例えば、公知技術のソーシャルネットワークシステムの日記、電子掲示板などに対応し、上記ソーシャルネットワークのユーザのコメント情報が表示される。上記コメント情報の表示形態は、例えば、上記ネットワーク制御手段３０２が、各コメント情報に含まれる掲載時刻を利用して、現在時刻（例えば、「２０１１／８／１  ９：１０」）に対して掲載が早かった順番に各コメント情報を配列し、最も掲載が早かったコメント情報を最上段に表示し、その次に掲載が早かった順番のコメント情報を下段に段階的に表示していく。
【００６４】  図６には、最も掲載が早かった上記グループユーザＩＤ（「ユーザＢ」）のコメント６０２ａ（「現在、ショップの前です。」）が最上段に表示され、次に掲載が早かった上記ユーザＩＤ（「ユーザＡ」）のコメント６０２ｂ（「ランチ中です。」）が下段に表示される。尚、上記閲覧画面６０２に表示されるコメント情報には、コメントの他に、当該コメントを掲載したユーザのユーザＩＤや顔写真、現在時刻から遡って何時間前に掲載されたかを示す時刻などが表示される。又、表示されるコメント数は、表示可能な領域に応じて適宜調整される。
【００６５】  ここで、上記ネットワーク制御手段３０２は、上記端末装置２を介して、上記ユーザＩＤ又は上記グループユーザＩＤのコメント情報が新たに入力されると、入力されたコメント情報を上記ユーザＩＤ又は上記グループユーザＩＤと関連付けて上記ユーザ情報テーブル５００に記憶させる。そして、上記ネットワーク制御手段３０２は、所定の期間（例えば、１分など）毎に、上記ユーザＩＤのコメント情報と、上記グループユーザＩＤのコメント情報とを読み出し、上記専用ページ画面６００の閲覧画面６０２に最新のコメント情報を最上段に表示する（更新処理）。
【００６６】  これにより、第一のユーザは、上記閲覧画面６０２を介して、常に、オンライン上におけるソーシャルネットワークのユーザの最新コメント情報を確認することが可能となる。
【００６７】  又、上記ソーシャルネットワークのユーザであれば、誰でも、自己の専用ページ画面の閲覧画面を介して、当該ソーシャルネットワークのユーザが掲載した最新コメント情報を確認することが出来る。
【００６８】  尚、上述では、上記第一のユーザを中心としたソーシャルネットワークの人間関係の範囲は特に限定していないが、例えば、当該第一のユーザが、当該範囲を限定する設定を行えば、当該設定に対応した範囲のユーザにみに、上述したコメント情報が開示されることになる。
【００６９】  さて、第一のユーザが、自己の専用ページ画面６００を見ながら、上記閲覧画面に所定の画像を掲載するために、当該専用ページ画面６００に予め設けられた画像編集許可キー６０３を選択すると、第一の表示受付手段３０１が、当該画像編集許可キー６０３の選択を受け付けて、その旨を上記ネットワーク制御手段３０２に通知する。当該通知を受けたネットワーク制御手段３０２は、上記ネットワーク４を介して本発明に係るコンピュータの指示受付手段３０４に通知する。当該通知を受けた指示受付手段３０４は、上記サーバーコンピュータ３の記憶手段３０３から、上記第一のユーザの端末装置２ａにより入力された画像を読み出す。そして、上記指示受付手段３０４は、読み出した画像を選択可能とする所定の画像選択画面を、第一の表示受付手段３０１に表示させて、第一のユーザの端末装置２ａから、掲載予定の画像の選択を受け付ける（図４：Ｓ１０３）。
【００７０】  上記画像選択画面７００には、図７に示すように、上記読み出された複数の画像７０１と、第一のユーザの端末装置２ａのメモリに記憶された画像を読み出すための画像読出キー７０２と、ＯＫキー７０３とが表示される。
【００７１】  上記複数の画像７０１とは、例えば、上記記憶手段３０３において、上記第一のユーザが所有する画像に対応し、当該第一のユーザが上記専用ページ画面６００又は上記閲覧画面６０２に過去に掲載した画像やユーザ毎に管理される所定のフォルダ（例えば、アルバムなど）に記憶された画像などが挙げられる。又、上記画像読出キー７０２の選択により、上記第一のユーザの端末装置２ａの所定のメモリから読み出された画像でも良い。
【００７２】  又、上記画像７０１は、どのような画像でも構わないが、後述する商品画像を試着可能な（着せ替え可能な）身体画像、例えば、顔画像そのものや顔画像を有する身体画像（上半身画像、全身画像など）であると、上記ソーシャルネットワークのユーザが興味を持って画像を編集する可能性が高いため、好ましい。
【００７３】  そのため、上記指示受付手段３０４は、上記第一のユーザの端末装置２ａにより所定の画像が上記閲覧画面に掲載される際に、当該第一のユーザの端末装置２ａにより入力された画像のうち、上記商品画像を試着可能な画像を検索して、検索した画像を選択可能に表示する。上記検索方法は、例えば、上記指示受付手段３０４が、画像内の所定の画素領域に肌色の画素領域があるか否かを判定して、肌色の画素領域がある場合、当該肌色の画素領域を身体画像と判定し、当該身体画像を含む画像を上記商品画像を試着可能な画像として検索する。そして、上記指示受付手段３０４は、検索した画像を上記画像選択画面７００に選択可能に表示する。
【００７４】  これにより、身体画像を含む試着対象の画像を自動的に検索して、上記第一のユーザに提示し、後述するソーシャルネットワークのユーザに商品画像の試着を円滑に促すことが可能となる。
【００７５】  尚、上記検索方法は、例えば、試着対象の画像中に、特定のユーザ識別情報（例えば氏名など）のタグを付けることが可能な場合には、上記第一のユーザに当該ユーザ識別情報をキーワードとして入力させ、上記指示受付手段３０４がキーワード検索することにより、当該ユーザ識別情報が付された画像のみを検索するよう構成してもよい。
【００７６】  さて、第一のユーザが、所定の操作（マウス操作など）により、所定の画像７０１を選択し、ＯＫキー７０３を選択すると、上記指示受付手段３０４が、選択された画像７０１を掲載予定の画像として受け付ける。そして、上記指示受付手段３０４は、拡大した掲載予定の画像を所定の編集指示画面に表示するとともに、当該掲載予定の画像の編集の指示を、上記第一のユーザの端末装置２ａから受け付ける（図４：Ｓ１０４）。
【００７７】  上記編集指示画面８００には、図８に示すように、コメントを入力可能なコメント欄８０１と、拡大された掲載予定の画像８０２と、当該掲載予定の画像８０２の左端に上下にわたって配置された複数の商品画像８０３と、上記閲覧画面に掲載（投稿）するためのＯＫキー８０４とが表示される。
【００７８】  ここで、上記商品画像８０３は、商品に対応する画像であれば、どのような画像でも構わないが、例えば、図８には、上着画像、バッグ画像、帽子画像、ステッキ画像などが表示される。又、上記商品画像８０３は、商品に関係のない背景を示す太陽画像、星画像などを表示しても構わない。更に、上記商品画像１００３は、後述する所定の店舗が販売する商品に対応させても良いし、複数の店舗が販売するそれぞれの商品に対応させてもよい。もちろん、上記商品画像１００３は、所定の店舗の人気商品でも、ブランド商品でも構わない。
【００７９】  又、上記商品画像８０３の直下には、図８に示すように、上記指示受付手段３０４により、当該商品画像の商品識別情報８０５（例えば、商品名、販売先の店舗名、価格など）が選択可能に表示される。例えば、上記第一のユーザが、上記商品識別情報８０５を選択すると、上記指示受付手段３０４は、当該商品識別情報８０５に対応する商品又は当該商品を販売する店舗を、選択した上記第一のユーザの端末装置２ａに紹介する（後述）。
【００８０】  又、例えば、上記第一のユーザが、上記編集指示画面８００を見ながら、所定の商品画像８０３（例えば、上着画像、第一の商品画像とする）を上記掲載予定の画像８０２にドラッグアンドドロップして、当該第一の商品画像８０３を選択すると、上記指示受付手段３０４は、当該第一の商品画像８０３の選択を上記編集指示として受け付け、その旨を上記コンピュータ５の画像編集手段３０５に通知する。当該通知を受けた画像編集手段３０５は、上記編集指示と上記掲載予定の画像とに基づいて第一の画像を生成する（後述）。これにより、上記第一のユーザは、上記閲覧画面に掲載する前段階の画像、つまり、上記掲載予定の画像を、予め編集した後に、編集後の画像（第一の画像）を当該閲覧画面に掲載することが可能となる。尚、本発明は、後述する第二のユーザによる画像編集がポイントであり、上記第一のユーザによる画像編集は、当該第二のユーザによる画像編集と同様であるため、詳細は後述する。
【００８１】  さて、本発明の実施形態では、上記第一のユーザが、上記キーボードキーを用いて、上記編集指示画面８００のコメント欄８０１に所定のコメント（例えば、「コーディネート出来るかな？」）を入力し、上記ＯＫキー８０４を選択すると、上記指示受付手段３０４は、上記掲載予定の画像を第一の画像として受け付け、当該第一の画像を上記閲覧画面に掲載する（図４：Ｓ１０５）。これにより、上記指示受付手段３０４は、上記ソーシャルネットワークの第二のユーザの端末装置２ｂから、上記第一の画像の編集指示を受け付ける。
【００８２】  例えば、上記指示受付手段３０４が、上記サーバーコンピュータ３のユーザ情報テーブル５００における第一のユーザのユーザＩＤ（「ユーザＡ」）のコメント情報５０５に、上記第一の画像８０２と、入力されたコメントと、上記ＯＫキー８０４が選択された時点の選択時刻（例えば、「２０１１／８／１  ９：１５」）とを記憶させる。
【００８３】  すると、上記ネットワーク制御手段３０２は、所定の時間経過後に、上述した上記閲覧画面６０２の更新処理を実行し、図９に示すように、第一のユーザの専用ページ画面の閲覧画面９００の上段に、上記第一の画像９０１ａを含むコメント情報９０１を表示させる。尚、上記第一の画像９０１ａは、第一のユーザの操作により選択可能に表示される。
【００８４】  一方、上記ソーシャルネットワークの第二のユーザ、つまり、第一のユーザのグループユーザＩＤ（「ユーザＢ」）のユーザが、自己の端末装置２ｂの第二の表示受付手段３０６を介して、上記サーバーコンピュータ３にアクセスし、上記ログインを成功させる（図４：Ｓ１０６）。すると、上記ネットワーク制御手段３０２は、上記ユーザ情報テーブル５００から、上記第二のユーザのユーザＩＤ（例えば、「ユーザＢ」）に対応するプロファイル情報５０３と、コメント情報５０５とを読み出すとともに、当該第二のユーザのユーザＩＤに対応するグループユーザＩＤ５０４、つまり、第一のユーザのユーザＩＤ（「ユーザＡ」）のコメント情報５０５を読み出す。
【００８５】  ここで、上記第一のユーザのユーザＩＤのコメント情報５０５には、先ほど掲載された第一の画像が含まれるから、上記ネットワーク制御手段３０２は、当該第一の画像を含むコメント情報を読み出し、そして、読み出したユーザＩＤ（「ユーザＢ」）のプロファイル情報５０３、コメント情報５０５、グループユーザＩＤ（「ユーザＡ」）のコメント情報５０５を利用して、上記閲覧画面を含む第二のユーザの専用ページ画面を第二の表示受付手段３０６に表示させる（図４：Ｓ１０７）。
【００８６】  上記第二のユーザの専用ページ画面１０００には、図１０に示すように、第二のユーザのプロファイル情報１００１が表示されるとともに、先ほど入力された第一のユーザのコメント情報を含む閲覧画面１００２が表示される。ここで、上記閲覧画面１００２には、上記第一のユーザのコメント情報１００３に含まれる第一の画像１００３ａが、第二のユーザの操作により選択可能に表示される。
【００８７】  これにより、上記ソーシャルネットワークの第二のユーザは、当該第一のユーザが掲載した第一の画像１００３ａを閲覧することが可能となる。
【００８８】  ＜第一の画像の編集＞
【００８９】  さて、第二のユーザが、自己の専用ページ画面１０００の閲覧画面１００２のうち、第一のユーザのコメント情報１００３における第一の画像１００３ａに興味を示し、当該第一の画像１００３ａを選択すると、上記指示受付手段３０４は、当該第一の画像１００３ａの選択を受け付けて、拡大した第一の画像を、上述した編集指示画面に表示するとともに、当該第一の画像の近傍に複数の商品画像を選択可能に表示することで（図４：Ｓ１０８）、所定の商品画像の選択を上記編集の指示として受け付ける。
【００９０】  上記編集指示画面１１００には、図１１に示すように、コメントを入力可能なコメント欄１１０１と、拡大された第一の画像１１０２と、複数の商品画像１１０３と、各商品画像１１０３毎の商品識別情報１１０５と、編集指示を完了するためのＯＫキー１１０４とが表示される。
【００９１】  これにより、上記第二のユーザは、上記第一の画像１１０２と、複数の商品画像１１０３とを見比べながら、当該第一の画像１１０２に似合う商品画像１１０３を適切に選択することが可能となる。
【００９２】  ここで、上記商品画像１１０３は、図８と同様であり、例えば、図１１には、上着画像、バッグ画像、帽子画像、ステッキ画像などが表示されている。
【００９３】  第二のユーザは、上記編集指示画面１１００を見ながら、例えば、所定の商品画像１１０３（例えば、上着画像、第一の商品画像）を選択すると、上記指示受付手段３０４は、当該第一の商品画像１１０３の選択を上記編集の指示として受け付け（図４：Ｓ１０９）、上記画像編集手段３０５は、上記編集指示と上記第一の画像１１０２とに基づいて第二の画像を生成する（図４：Ｓ１１０）。
【００９４】  具体的には、上記画像編集手段３０５は、上記第一の商品画像１１０３が選択されると、当該第一の商品画像１１０３を上記第一の画像１１０２に含まれる身体画像に試着させることで、第二の画像を生成する。
【００９５】  ここで、上記画像編集手段３０５は、例えば、上記身体画像の身体部位を示す身体部位属性（例えば、頭、上半身、下半身、腕、脚など）と、上記商品画像を着せる身体部位を示す商品部位属性（例えば、頭、上半身、下半身、腕、脚など）とに基づいて当該商品画像を当該身体画像の所定の部位画像に試着させる。
【００９６】  例えば、図１１では、上記画像編集手段３０５は、上記第一の画像１１０２の身体画像（成人男性）が、頭（顔）を有する上半身の身体部位属性であると認識するとともに、上記第一の商品画像（上着画像）が、上半身に付ける商品部位属性であると認識する。そして、上記画像編集手段３０５が、図１２に示すように、上記身体画像１１０２ａの身体部位属性と上記第一の商品画像１１０３ａの商品部位属性とが一致するように、当該身体画像１１０２ａの上半身の前面に、当該第一の商品画像１１０３ａを所定のサイズで配置して第二の画像１２００を生成する。
【００９７】  これにより、第二のユーザは、上記第一の画像１１０２の身体画像のうち、上記商品画像１１０３を配置しても違和感のない適正な位置に上記商品画像１１０３を配置して、バーチャル上の商品画像の試着（着せ替え、画像編集）を楽しむことが可能となる。
【００９８】  尚、上記第一の画像１１０２の前面に配置された商品画像１１０３は、第二のユーザの操作（ポインタ、タッチなど）により、拡大縮小したり、縦横比や配置位置を変更したり、当該商品画像１１０３の一部を削除したりすることが可能である。更に、上記商品画像１１０３を配置する第一の画像１１０２も、第二のユーザの操作により、拡大縮小したり、縦横比を変更したり、当該第一の画像１１０２の一部を削除したりすることが可能である。上述した画像編集は、公知技術を利用してもよい。
【００９９】  又、上記画像編集手段３０５は、上記第二のユーザの端末装置２ｂから、更に、上記商品画像１１０３（第二の商品画像とする）が選択されると、当該第二の商品画像１１０３を、上記第二の画像１２００における身体画像１１０２ａの所定の部位画像に試着させる。例えば、図１２に示すように、上記第二の商品画像１１０３が、帽子画像１１０３ｂである場合、上記画像編集手段３０５は、上記身体画像１１０２ａの頭の上部の前面に、当該帽子画像１１０３ｂを所定のサイズで配置する。
【０１００】  これにより、第二のユーザは、複数の商品画像１１０３を上記第一の画像１１０２の身体画像に段階的に試着させて、総合的なファッションコーディネートを楽しむことが可能となる。
【０１０１】  尚、上記身体画像に試着された商品画像は、第二のユーザの操作により削除可能としてもよいし、選択された二つの商品画像が同一の商品部位属性である場合、後に選択された商品画像を優先して上記身体画像に試着させるようにしてもよい。これらの画像編集の微調整は、例えば、公知技術を利用してもよい。
【０１０２】  又、上記画像編集手段３０５は、上記第二のユーザの端末装置２ｂからコメントが入力されると、当該コメントを上記第一の画像１１０２又は上記第二の画像１２００に添付する。例えば、第二のユーザが、自己の端末装置２ｂ又は上記編集指示画面１１００に設けられたキーボードキーを利用して、上記コメント欄１１０１に所定のコメント（「これが私のコーディネート！」）を入力すると、上記画像編集手段３０５は、入力されたコメントを上記第一の画像１１０２又は上記第二の画像１２００に添付する。
【０１０３】  これにより、第二のユーザは、上記第一の画像１１０２又は上記第二の画像１２００に所望のコメントを入力して、第一のユーザを含むソーシャルネットワークのユーザとコミュニケーションを楽しむことが可能となる。尚、上記第一の画像１１０２にコメントが添付される場合は、例えば、第二のユーザにより未だ画像編集がなされていない場合に対応する。
【０１０４】  ところで、上記第二のユーザが、上記編集指示画面１１００の所定の商品識別情報１１０５を選択すると、上記指示受付手段３０４は、当該商品識別情報１１０５に対応する商品又は当該商品を販売する店舗を、選択した上記第二のユーザの端末装置２ｂに紹介する。
【０１０５】  具体的には、上記商品識別情報１１０５に、当該商品識別情報１１０５に対応する商品の紹介画面のＵＲＬ又は当該商品を販売する店舗のＵＲＬを予め設定しておき、上記第二のユーザが、当該商品識別情報１１０５を選択すると、上記指示受付手段３０４が、上記第二のユーザの端末装置２ｂに、選択された商品識別情報１１０５に設定されたＵＲＬへアクセスさせる。すると、上記第二のユーザの端末装置２ｂの第二の表示受付手段３０６が、アクセスされたＵＲＬの画面を表示する。
【０１０６】  これにより、上記商品又は上記店舗の紹介がなされ、第二のユーザは、当該商品又は当該店舗の詳細情報を閲覧することが可能となる。
【０１０７】  尚、上記ＵＲＬの画面は、上記商品又は当該商品を販売する店舗に関連する画面であれば、どのような画面でも構わないが、例えば、商品の紹介画面、当該商品を購入可能な購入画面、当該商品を販売する店舗の紹介画面、当該店舗のトップ画面などが挙げられる。
【０１０８】  又、図１１では、上記指示受付手段３０４は、上記編集指示画面１１００の複数の商品画像１１０３を単に表示しているが、例えば、以下の表示形態を採用しても良い。
【０１０９】  即ち、上記指示受付手段３０４は、複数の商品画像１１０３を表示する際に、当該商品画像１１０３を、当該商品画像１１０３の商品の価格、選択回数、販売数量、品質、製造地、当該商品と予め入力されたキーワードとの関連性を含む所定の優先順位に従って選択可能に表示してもよい。
【０１１０】  例えば、上記商品画像１１０３の商品の価格に対応する優先順位であれば、上記指示受付手段３０４は、当該価格が高い程（又は安い程）、ユーザにより選択され易い表示位置、例えば、上記編集指示画面１１００の上位位置に表示する。又、上記指示受付手段３０４は、上記商品画像の選択回数が多い程（又は少ない程）、上記表示位置に表示してもよい。更に、上記指示受付手段３０４は、上記商品画像の商品の販売数量が多い程（又は少ない程）、上記表示位置に表示してもよいし、上記商品画像の商品の品質が高い程（又は低い程）、上記表示位置に表示してもよい。そして、上記指示受付手段３０４は、上記商品画像の商品の製造地が特定の国である場合（又は、国内或いは国外である場合）、上記表示位置に表示してもよいし、上記商品画像の商品が、ユーザにより予め入力されたキーワードと関連性を持っている場合、上記表示位置に表示してもよい。上記商品と上記キーワードとの関連性は、例えば、当該商品の商品識別情報（上述した商品名、販売先の店舗名、ブランド名など）と当該キーワードとが一部又は全部一致していることに対応する。
【０１１１】  これにより、上記第二のユーザに、様々な観点から特定の商品画像を優先的に提示して特定の商品画像の着せ替えを促すことが可能となる。
【０１１２】  ところで、上記商品画像１１０３は、上記コンピュータ５の所定の記憶手段（メモリ）に予め記憶させた商品画像でもよいし、当該コンピュータ５と接続された店舗の端末装置６の商品画像送信手段３０７から送信された商品画像でもよい。
【０１１３】  例えば、上記店舗の端末装置６の商品画像送信手段３０７が、上記コンピュータ５の指示受付手段３０４により、上記商品画像の送信指示を受けると、当該店舗の端末装置６の所定の記憶手段（メモリ）に記憶された商品画像を上記指示受付手段３０４に送信する。当該商品画像を受け付けた指示受付手段３０４は、当該商品画像を上記記憶手段に記憶させ、所定のタイミングで、当該記憶手段から上記商品画像を読み出して、当該商品画像を選択可能に表示する。
【０１１４】  これにより、上記コンピュータ５に接続された店舗の端末装置６のユーザ（例えば、店長）は、自己の販売する商品の商品画像を上記コンピュータ５に自由に提供することが可能である。
【０１１５】  尚、上記商品画像は、上述したように、商品に対応する画像であれば、上記店舗が販売する商品の商品画像に限られず、他の店舗が販売する商品の商品画像でも構わない。又、上述では、上記コンピュータ５に接続された店舗の端末装置６（商品画像送信手段３０７）が、何ら制限も無く所定の商品画像を送信するよう構成しているが、この構成に限られず、例えば、所定の許可を受けた店舗の端末装置６のみが、所定の商品画像の送信の許可を受けて、当該商品画像を送信するよう構成してもよい。この場合は、例えば、上記コンピュータ５のユーザ（例えば、管理人）が、上記店舗の端末装置６のユーザに許可を与えることによりなされる。
【０１１６】  ＜第二の画像の掲載＞
【０１１７】  さて、第二のユーザが、上記編集指示画面１１００において所定のコメントの入力と上記編集の指示とを完了し、上記ＯＫキー１１０４を選択すると、上記画像編集手段３０５は、当該ＯＫキー１１０４の選択を受け付けて、生成した第二の画像１２００を上記閲覧画面に掲載する（図４：Ｓ１１１）。
【０１１８】  例えば、上記画像編集手段３０５が、上記ユーザ情報テーブル５００における第二のユーザのユーザＩＤ（「ユーザＢ」）のコメント情報５０５に、上記第二の画像１２００と、上記入力されたコメントと、上記ＯＫキー１１０４が選択された時点の選択時刻とを記憶させる。
【０１１９】  すると、上記ネットワーク制御手段３０２は、上記第二のユーザの専用ページ画面１０００の閲覧画面１００２の更新を実行し、図１３に示すように、第二のユーザの専用ページ画面の閲覧画面１３００の上段に、コメント情報１３０１が表示されるとともに、上記第二の画像１３０１ａが選択可能に表示される。
【０１２０】  又、上記ソーシャルネットワークの第一のユーザ、つまり、第二のユーザのグループユーザＩＤ（「ユーザＡ」）のユーザが、自己のユーザの専用ページ画面を第一の表示受付手段３０１に表示させている場合、上記ネットワーク制御手段３０２は、上記ユーザ情報テーブル５００から、上記第一のユーザのユーザＩＤ（「ユーザＡ」）に対応するコメント情報５０５を読み出すとともに、当該ユーザＩＤに対応するグループユーザＩＤ（「ユーザＢ」）のコメント情報５０５を読み出す。
【０１２１】  ここで、上記グループユーザＩＤに、第二のユーザのユーザＩＤ（「ユーザＢ」）が含まれるので、上記ネットワーク制御手段３０２は、先ほど記憶された第二の画像１２００を含むコメント情報５０５を上記ユーザ情報テーブル５００から読み出すことになる。そして、上記ネットワーク制御手段３０２は、上記第二の画像１２００を含むコメント情報を利用して、第一のユーザの専用ページ画面の閲覧画面を第一の表示受付手段３０１に表示させる（図４：Ｓ１１２）。
【０１２２】  上記第一のユーザの専用ページ画面の閲覧画面１４００には、図１４に示すように、先ほど入力された第二のユーザのコメント情報１４０１とともに、第二の画像１４０１ａが選択可能に表示される。
【０１２３】  これにより、上記ソーシャルネットワークの第一のユーザは、当該ソーシャルネットワークの第二のユーザが編集した第二の画像１２００（１４０１ａ）を閲覧し、当該第二のユーザのコーディネートセンスを楽しむことが可能となる。又、上記第二の画像１２００には、第三者のコーディネートセンスと比較して、上記ソーシャルネットワークのユーザ特有の（友好的な）コーディネートセンスが反映されている可能性が高いため、上記第一のユーザは、このようなコーディネートセンスを上記第二の画像１２００で楽しむことが可能となる。更に、上記第二のユーザは、上記第一のユーザが所属するソーシャルネットワークのユーザの一人であるため、誹謗・中傷を伴う画像編集が生じる可能性が低く、当該画像編集を通じて、節度を保ったコミュニケーションを促進することが可能となる。
【０１２４】  又、上記第二の画像１２００は、上記ソーシャルネットワークの他のユーザの端末装置２から閲覧可能である。そのため、上記第二の画像１２００により、上記ソーシャルネットワークのユーザの視覚を刺激して、当該ソーシャルネットワークのユーザ間のコミュニケーションを著しく促進することが可能となる。
【０１２５】  尚、上記第二の画像１２００は、上記ソーシャルネットワークの他のユーザ（例えば、第三のユーザ）の端末装置２から閲覧可能であるから、更に、上記ソーシャルネットワークの第三のユーザが、自己のユーザの専用ページ画面の閲覧画面を確認した場合に、上記指示受付手段３０４は、上記第三のユーザの端末装置から、上記閲覧画面に掲載された第二の画像１２００の編集の指示を更に受け付け、上記画像編集手段３０５は、上記編集指示と上記第二の画像とに基づいて第三の画像を生成し、当該第三の画像を上記閲覧画面に掲載するよう構成してもよい。
【０１２６】  これにより、最初に掲載された第一の画像に基づいて、上記ソーシャルネットワークの複数のユーザが、繰り返し画像編集を楽しむことが可能となり、当該ソーシャルネットワークのユーザ間のコミュニケーションを更に促進することが可能となる。
【０１２７】  ところで、Ｓ１１２において、上記第一のユーザが、図１４に示す閲覧画面１４００の第二の画像１４０１ａを選択すると、上記指示受付手段３０４が、当該第二の画像１４０１ａの選択を受け付けて、拡大した第二の画像１４０１ａを上述した編集指示画面に表示するとともに、当該第二の画像１４０１ａの生成に利用された商品画像（利用商品画像とする）と、通常の商品画像（通常商品画像とする）とを選択可能に表示して、更に、所定の商品画像の選択を受け付ける（図４：Ｓ１１３）。
【０１２８】  上記編集指示画面１５００には、図１５に示すように、更に、コメントを入力可能なコメント欄１５０１と、拡大された第二の画像１５０２（１４０１ａ）と、上記利用商品画像１５０３と、上記通常商品画像１５０４と、上記利用商品画像１５０３及び上記通常商品画像１５０４に対応する商品識別情報１５０５（商品名）と、編集指示を完了するためのＯＫキー１５０６と、商品購入を指示するための購入キー１５０７とが表示される。
【０１２９】  ここで、上記第一のユーザが、上記第二の画像１５０２を見ながら、上記第二のユーザがコーディネートした商品を気に入って、上記購入キー１５０７を選択すると、上記指示受付手段３０４が、その旨を購入手続手段３０８に通知する。当該通知を受けた購入手続手段３０８が、当該購入キー１５０７に対応する上記商品の購入の指示を受け付け、上記ユーザ情報テーブル５００から第一のユーザＩＤとパスワードとを読み出すとともに、ユーザＩＤとパスワードとを入力可能な所定の認証画面を表示して、ユーザ認証を実行する。
【０１３０】  上記第一のユーザが、上記キーボードキーを利用して、上記ユーザＩＤ（「ユーザＡ」）と上記パスワード（「＊＊＊」）とを再度入力すると、上記購入手続手段３０８が、入力されたユーザＩＤ及びパスワードが、上記ユーザ情報テーブル５００のユーザＩＤ及びパスワードとそれぞれ一致するか否かを判定する。
【０１３１】  上記判定の結果、入力されたユーザＩＤ又はパスワードが、上記ユーザ情報テーブル５００のユーザＩＤ又はパスワードと不一致の場合、ユーザ認証が失敗し、上記購入手続手段３０８は、上記商品の購入手続を中止する。これにより、ユーザ本人でないにも関わらず、商品が購入手続されることを防止する。
【０１３２】  一方、上記判定の結果、入力されたユーザＩＤ及びパスワードが、上記ユーザ情報テーブル５００のユーザＩＤ及びパスワードとそれぞれ一致する場合、ユーザ認証が成功し、上記購入手続手段３０８は、上記商品の購入手続を実行する。これにより、ユーザ本人による確実な商品の購入手続を可能とし、セキュリティを高めることが可能となる。
【０１３３】  さて、上記購入手続手段３０８が上記商品の購入手続を実行する場合、上記利用商品画像１５０３から、当該利用商品画像１５０３に付された商品識別情報（例えば、商品名、商品コード等）と、当該商品画像の商品を販売している店舗の店舗識別情報（例えば、販売店名、販売店コード等）とを取得する。次に、上記購入手続手段３０８は、上記ユーザ情報テーブル５００から、上記ユーザＩＤの個人情報（例えば、住所、クレジット情報）を取得して、上記商品識別情報と、上記店舗識別情報と、上記個人情報とに基づいて、当該店舗識別情報に対応する店舗の端末装置６にアクセスし、当該商品識別情報に対応する商品の購入手続を実行する（図４：Ｓ１１４）。
【０１３４】  このように、上記購入手続手段３０８は、上記第一のユーザの端末装置２ａから、上記利用商品画像１５０３の商品の購入が指示されると、当該商品の購入手続を実行する。これにより、第一のユーザは、第二のユーザによりコーディネートされた商品画像の商品を簡単に購入することが可能となる。
【０１３５】  又、上記第二の画像１５０２が複数の利用商品画像１５０３により生成されている場合、上記購入手続手段３０８は、上述した商品の購入手続を、各利用商品画像１５０３の商品毎にそれぞれ実行することで、全ての利用商品画像の商品について購入手続を実行する。
【０１３６】  例えば、上記利用商品画像１５０３が、第一の店舗識別情報（「ショップａ」）の利用商品画像（例えば、上着画像）と、第二の店舗識別情報（「ショップｂ」）の利用商品画像（例えば、帽子画像）である場合、上記購入手続手段３０８は、第一の店舗識別情報に対応する店舗の端末装置６と、第二の店舗識別情報に対応する店舗の端末装置６（図示せず）とにそれぞれアクセスする。そして、上記購入手続手段３０８は、第一の利用商品画像の商品と第二の利用商品画像の商品とをそれぞれ購入手続する。これにより、複数の商品を簡単に購入することが可能となる。
【０１３７】  尚、上記購入手続に必要な個人情報は、上記ユーザ情報テーブル５００に既に記憶されているよう構成したが、記憶されていない場合には、上記購入手続手段３０８が、上記個人情報を上記第一のユーザに問い合わせるよう構成してもよい。
【０１３８】  又、上記第二の画像１５０２が複数の利用商品画像１５０３により生成されている場合、上記購入手続手段３０８は、ユーザの選択により、特定の利用商品画像１５０３の商品のみの購入決済を実行するよう構成しても構わない。
【０１３９】  ところで、上述では、上記第一のユーザ本人が、上記利用商品画像１５０３の商品を購入手続するよう構成したが、当該第一のユーザに限定されるものではない。上記第二の画像１５０２は上記閲覧画面を介して上記ソーシャルネットワークの他のユーザにも閲覧可能であるから、当該ソーシャルネットワークのユーザ、例えば、上記第二のユーザが、自己の端末装置２ｂを介して、当該利用商品画像１５０３の商品を購入手続するよう構成しても構わない。
【０１４０】  又、Ｓ１１２において、上記第一のユーザが、上記編集指示画面１５００を介して上記第二の画像１５０２を更に編集して、上記閲覧画面に掲載しても構わない。これにより、上記ソーシャルネットワークのユーザ間における画像編集が繰り返し行われ、当該ユーザ間のコミュニケーションが活性化する。
【０１４１】  このように、本発明に係るコンピュータ５は、上記ソーシャルネットワークの第一のユーザの端末装置２ａにより上記閲覧画面に掲載された第一の画像１１０２の編集指示を、当該ソーシャルネットワークの第二のユーザの端末装置２ｂから受け付ける指示受付手段３０４と、上記編集指示と上記第一の画像１１０２とに基づいて第二の画像１２００を生成し、当該第二の画像１２００を上記閲覧画面に掲載する画像編集手段３０５とを備える。
【０１４２】  これにより、上記第二のユーザは、上記第一のユーザから掲載された第一の画像１１０２の編集を楽しむことが可能となるとともに、当該第一のユーザは、当該第二のユーザが編集した第二の画像１２００を閲覧し、当該第二のユーザのコーディネートセンスを楽しむことが可能となる。又、上記第二の画像１２００は、上記ソーシャルネットワークの他のユーザでも閲覧可能であるから、当該第二の画像１２００により、上記他のユーザの視覚を刺激して、上記ソーシャルネットワークのユーザ間のコミュニケーションを著しく促進することが可能となる。
【０１４３】  尚、本発明の実施形態では、Ｓ１０３において、上記指示受付手段３０４が、所定の画像を掲載予定の画像として受け付けると、上記第一のユーザが当該掲載予定の画像を編集することが出来るように、Ｓ１０４に移行し、上記編集指示画面を表示するように構成したが、他の構成でも構わない。例えば、Ｓ１０３において、上記指示受付手段３０４が、所定の画像を掲載予定の画像として受け付けると、上記Ｓ１０４を省略して、Ｓ１０５に移行し、上記指示受付手段が、上記掲載予定の画像を第一の画像として掲載するよう構成しても構わない。
【０１４４】  又、本発明の実施形態に係るコンピュータ５では、当該コンピュータ５が、各手段を備えるよう構成したが、当該各手段を実現するプログラム（例えば、アプリケーションソフト）を記憶媒体に記憶させ、当該記憶媒体を提供するよう構成しても構わない。当該構成では、上記プログラムを市販のコンピュータの記憶手段に記憶させ、そのコンピュータが当該プログラムを実現することで、上述した作用効果を奏する。この場合、上記記録媒体から読み出されたプログラム自体が本発明の作用効果を奏する。更に、各手段が実行する工程（ステップ）をハードディスクに記憶させる方法として提供することも可能である。
【産業上の利用可能性】
【０１４５】  以上のように、本発明に係るコンピュータ、方法、プログラム、記憶媒体は、上述したソーシャルネットワークシステムに接続されたコンピュータはもちろん、当該ソーシャルネットワークシステムのサーバーコンピュータに内蔵されたコンピュータ等に有用であり、オンライン上のソーシャルネットワークの一のユーザが、他のユーザの画像を編集することで、当該ソーシャルネットワークのユーザが、編集後の画像を楽しむことが可能なコンピュータ、方法、プログラム、記憶媒体として有効である。
【符号の説明】
【０１４６】１  ソーシャルネットワークシステム
２  端末装置
３  サーバーコンピュータ
４  ネットワーク
５  コンピュータ
６  店舗の端末装置
３０１  第一の表示受付手段
３０２  ネットワーク制御手段
３０３  ユーザ情報記憶手段
３０４  指示受付手段
３０５  画像編集手段
３０６  第二の表示受付手段
３０７  商品画像送信手段
３０８  購入手続手段
【図１】
2013041560.tif 000003
【図２】
2013041560.tif 000004
【図３】
2013041560.tif 000005
【図４】
2013041560.tif 000006
【図５】
2013041560.tif 000007
【図６】
2013041560.tif 000008
【図７】
2013041560.tif 000009
【図８】
2013041560.tif 000010
【図９】
2013041560.tif 000011
【図１０】
2013041560.tif 000012
【図１１】
2013041560.tif 000013
【図１２】
2013041560.tif 000014
【図１３】
2013041560.tif 000015
【図１４】
2013041560.tif 000016
【図１５】
2013041560.tif 000017